(57)【要約】【課題】  部材点数を増加させることなく簡単な構造にして、製造の容易化やコスト低減を図れるとともに、反りの発生を確実に防止できる仕切り戸およびそれに用いる湾曲部材および湾曲部材の製造方法を提供すること。【解決手段】  立桟１６ａ，１６ｂと横桟１６ｃ，１６ｄを備えた芯材１８の和室側面に板紙２１ａと襖紙１２を張り付け、洋室側面に板紙２１ｂと化粧シート１４を張り付けて戸襖１０を形成した。その際、立桟１６ａ，１６ｂを湾曲させて形成し、芯材１８における立桟１６ａ，１６ｂが突出した側の面に板紙２１ａと襖紙１２を張り付けるようにした。板紙２１ａ，２１ｂは、防湿処理加工を施した紙で構成した。また、戸襖１０に組み付けられる前の立桟１６ａ，１６ｂにおける長手方向の中央側部分の突出量を、立桟１６ａ，１６ｂの立方向の長さの０．２５／１００〜１．２５／１００に設定した。【選択図】  図５
2006132289.tif 000002
【特許請求の範囲】
【請求項１】
枠状の芯材の表裏に、それぞれシート体を張り付けて構成される仕切り戸であって、
前記芯材を構成する部材のうちの少なくとも１個の部材を前記芯材の表裏方向に湾曲させて形成し、前記仕切り戸が設置される場所における前記仕切り戸の両側空間部の温度および湿度の差から前記芯材の表裏に張り付けられる両シート体に発生する収縮力を考慮して、前記両シート体のうち、大きな収縮力が発生するシート体の側に、前記芯材における前記湾曲した部材が突出した面を向けてその面に前記大きな収縮力が発生するシート体を張り付けるとともに、前記芯材における他方の面にもう一方のシート体を張り付け、前記仕切戸を設置したのちに反りのない状態になることを特徴とする仕切り戸。
【請求項２】
前記湾曲した部材が、前記芯材を構成する部材のうちの前記芯材の長手方向に沿った部材である請求項１に記載の仕切戸。
【請求項３】
枠状の芯材の表裏に、それぞれ異なるシート体を張り付けて構成される仕切り戸であって、
前記芯材を構成する部材のうちの前記芯材の長手方向に沿った少なくとも１個の部材を前記芯材の表裏方向に湾曲させて形成し、前記異なるシート体のうち、張り付け後の乾燥により大きな収縮力が発生するシート体を、前記芯材における前記湾曲した部材が突出した面に張り付けるとともに、前記芯材における他方の面にもう一方のシート体を張り付けて反りのない状態にしたことを特徴とする仕切り戸。
【請求項４】
前記芯材が、周囲骨、中桟、額部等の縦部材と横部材とからなる枠状に形成されている請求項１ないし３のうちのいずれか一つに記載の仕切り戸。
【請求項５】
前記シート体が接着剤によって前記芯材に張り付けられ、前記接着剤が乾燥する際に、前記それぞれのシート体に発生する収縮力を加味して前記湾曲した部材の曲率が決定される請求項１ないし４のうちのいずれか一つに記載の仕切り戸。
【請求項６】
前記仕切り戸が配置される空間部の温度および湿度を加味して前記湾曲した部材の曲率が決定される請求項１ないし５のうちのいずれか一つに記載の仕切り戸。
【請求項７】
前記芯材が、立桟と横桟からなる四角枠状の周囲骨の内側に格子枠状、板状または網目状のコア部を組み付けて形成されたものである請求項１ないし６のうちのいずれか一つに記載の仕切り戸。
【請求項８】
前記仕切り戸が戸襖であり、前記シート体のうち、張り付け後に大きな収縮力が発生する一方のシート体が、防湿処理加工を施した板紙の表面に襖紙を張り付けて構成され、前記シート体のうちの他方のシート体が、防湿処理加工を施した板紙の表面にビニールクロスを張り付けて構成されている請求項１ないし７のうちのいずれか一つに記載の仕切り戸。
【請求項９】
洋室と和室との間に設置され、張り付け後に大きな収縮力が発生する一方のシート体が前記芯材における和室側の面に張り付けられ、他方のシート体が前記芯材における洋室側の面に張り付けられる請求項１ないし８のうちのいずれか一つに記載の仕切り戸。
【請求項１０】
前記シート体が前記芯材に張り付けられる前の前記湾曲した部材における長手方向の中央側部分の突出量が、前記湾曲した部材の立方向の長さの０．１０／１００〜１．２５／１００である請求項１ないし８のうちのいずれか一つに記載の仕切り戸。
【請求項１１】
請求項１ないし１０に記載の仕切り戸に使用される湾曲した湾曲部材。
【請求項１２】
湾曲部材を製造するための湾曲部材の製造方法であって、
厚みが、湾曲部材の厚みと略同一に設定された略四角形の板体の一辺を加工装置を用いて所定の湾曲状に形成する湾曲部形成工程と、
前記湾曲部形成工程で形成された湾曲部をガイド部に沿わせた状態で相対的に移動させながら、前記ガイド部と所定間隔で設置された切断刃で前記板体を切断することにより、前記板体を一定の幅の湾曲した部材に順次形成していく湾曲部材形成工程と
を備えたことを特徴とする湾曲部材の製造方法。
【発明の詳細な説明】
【技術分野】
【０００１】
本発明は、部屋と部屋との間や、部屋と押入れとの間等の空間を仕切るために用いられる仕切り戸およびそれに用いる湾曲部材および湾曲部材の製造方法に関する。
【背景技術】
【０００２】
従来から、家屋における部屋と部屋との間、例えば洋室と和室との間を仕切ったり、部屋と押入れとの間等の空間を仕切ったりするために戸襖等からなる仕切り戸が用いられている。このような仕切り戸のうちの戸襖においては、一般に、四角枠状に形成された周囲骨の内側に左右方向に延びる横組子と上下方向に延びる立組子とをそれぞれ一定間隔で配置して格子状に組み付けた枠体からなる芯材が用いられている。そして、芯材の表面と裏面とにそれぞれ下張り紙を張り付け、さらに、両下張り紙の表面（外面）にそれぞれ絵柄が施された化粧用の上張り紙を張り付け、その状態の芯材の外側部に枠状の周囲縁を取り付けて戸襖が形成されている。
【０００３】
このような戸襖には、表面側に張り付けられる下張り紙および上張り紙と、裏面側に張り付けられる下張り紙および上張り紙との収縮力の違いから反りが生じることが多い。このため反りを防止するための構造を備えた戸襖も考案されている（例えば、特許文献１参照）。この戸襖では、芯材の表裏に木質板を張り付けて、表面側の木質板の表面には、洋風化粧プラスチックシートまたは洋風化粧紙を張り付け、裏面側の木質板の表面には、前述した洋風化粧プラスチックシートまたは洋風化粧紙と同種のプラスチックシートまたは紙を張り付けている。そして、さらに、裏面側の木質板におけるプラスチックシートまたは紙の表面側には、表面に和風化粧紙を張り付けた表板が位置ずれ可能に取り付けられている。
【特許文献１】特開平７−２１７３２６号公報
【発明の開示】
【０００４】
しかしながら、前述した戸襖では、芯材の表裏に張り付けられる木質板と、両木質板の表面にそれぞれ張り付けられる洋風プラスチックシートや洋風化粧紙等の外に、表面に和風化粧紙が張り付けられた表板が必要になるため、部材点数が多くなって構造も複雑になる。これによって、製造が面倒になるとともにコストアップになるという問題が生じる。また、表板に発生する反りは防止できないという問題もある。さらに、芯材の表裏に同種のシートや紙を張り付けても、洋室と和室との間の温度や湿度の差から戸襖に反りが生じることがあるが、前述した戸襖では、このような場合の反りは防止できないという問題もある。
【０００５】
本発明は、前述した問題に対処するためになされたもので、その目的は、部材点数を増加させることなく簡単な構造にして、製造の容易化やコスト低減を図れるとともに、反りの発生を確実に防止できる仕切り戸およびそれに用いる湾曲部材および湾曲部材の製造方法を提供することである。
【０００６】
前述した目的を達成するため、本発明に係る仕切り戸の構成上の特徴は、枠状の芯材の表裏に、それぞれシート体を張り付けて構成される仕切り戸であって、芯材を構成する部材のうちの少なくとも１個の部材を芯材の表裏方向に湾曲させて形成し、仕切り戸が設置される場所における仕切り戸の両側空間部の温度および湿度の差から芯材の表裏に張り付けられる両シート体に発生する収縮力を考慮して、両シート体のうち、大きな収縮力が発生するシート体の側に、芯材における湾曲した部材が突出した面を向けてその面に大きな収縮力が発生するシート体を張り付けるとともに、芯材における他方の面にもう一方のシート体を張り付け、仕切戸を設置したのちに反りのない状態になることにある。
【０００７】
このように本発明に係る仕切り戸では、従来の戸襖のように、芯材の表裏に、それぞれ収縮力が同じ同種のプラスチックシート等を張り付けることにより反りが生じなくし、さらに、裏面側のプラスチックシートを被うための和風化粧紙が張り付けられた表板を移動可能な状態で取り付けるといったように部材点数を増やすのではなく、部材点数を増やすことなく、簡単な構造のままで反りの発生を防止できるようにしている。
【０００８】
すなわち、本発明では、仕切り戸が設置される場所における仕切り戸の両側空間部の温度や湿度の差から、芯材の表裏に張り付けられた両シート体のうち、大きな収縮力が発生する側のシート体を、芯材における湾曲した部材が突出した面に張り付けるようにしている。この場合、芯材の表裏に張り付けられる両シート体は同じものであってもよいし、異なるものであってもよい。要は、仕切戸における温度や湿度によって収縮する側の面を、湾曲した部材が突出した側の面にすればよく、これによって、設置したのちの仕切戸に反りがなくなる。
【０００９】
このように、本発明に係る仕切り戸では、新たに部材を追加するのではなく、所定の部材を予め湾曲した状態に形成するだけの簡単な作業で反りの発生を防止できるため、部材点数が少なく構造が簡単になるとともに、製造が容易になり低コスト化が図れる。この場合のシート体には、紙、薄板、プラスチックシートやビニールシート、合板等の種々のシート状のものが含まれる。また、本発明における仕切り戸としては、部屋と部屋との間、部屋と押入れとの間を仕切る戸襖やドア、クローゼットや物入れに使用される建具等の空間部を仕切るパネル状のものも含むものとする。
【００１０】
また、本発明に係る仕切り戸の他の構成上の特徴は、湾曲した部材が、芯材を構成する部材のうちの芯材の長手方向に沿った部材であることにある。仕切り戸に生じる反りは、芯材の材質や太さを同じにした場合には、通常長手方向に沿って現れるため、長手方向に沿った部材を予め湾曲させて形成することにより、仕切り戸を、使用時には反りのない状態にすることができる。また、湾曲させて形成する長手方向に沿った部材は、仕切り戸が戸襖である場合は、周囲骨の立桟や周囲骨の内側に上下に配置される中桟とし、仕切り戸が額部を備えたドアである場合は、額部の左右両側に配置された上下に延びる部分とする。また、仕切り戸が横長のものである場合は、横方向に延びる部材とする。
【００１１】
また、本発明に係る仕切り戸のさらに他の構成上の特徴は、枠状の芯材の表裏に、それぞれ異なるシート体を張り付けて構成される仕切り戸であって、芯材を構成する部材のうちの芯材の長手方向に沿った少なくとも１個の部材を芯材の表裏方向に湾曲させて形成し、異なるシート体のうち、張り付け後の乾燥により大きな収縮力が発生するシート体を、芯材における湾曲した部材が突出した面に張り付けるとともに、芯材における他方の面にもう一方のシート体を張り付けて反りのない状態にしたことにある。
【００１２】
本発明に係る仕切り戸では、収縮する際に生じる収縮力が異なる２種類のシート体のうち張り付け後の乾燥により大きな収縮力が発生する方のシート体（相対的に収縮力の大きな方で、２種類のシート体がともに伸張する場合には、伸張力が小さな方）が張り付けられる芯材の面に湾曲した部材における長手方向の中央側が上下両端部よりも突出した面が位置するようにしている。したがって、両シート体の伸縮力によって湾曲した部材が矯正されて仕切り戸は反りのない状態になる。
【００１３】
また、本発明に係る仕切り戸の他の構成上の特徴は、芯材が、周囲骨、中桟、額部等の縦部材と横部材とからなる枠状に形成されていることにある。これによると、湾曲させる部材を周囲骨の立桟や中桟等の中から任意のものを選択することができ、設計に幅を持たせることができる。
【００１４】
また、本発明に係る仕切り戸においては、シート体が接着剤によって芯材に張り付けられ、接着剤が乾燥する際に、それぞれのシート体に発生する収縮力を加味して湾曲した部材の曲率を決定することができる。これによると、仕切り戸を製造した際に、反りのないまたは少ない良好な仕切り戸を得ることができる。この場合、使用する接着剤の種類や量および乾燥速度も考慮することが好ましい。さらに、仕切り戸が配置される空間部の温度および湿度を加味して湾曲した部材の曲率を決定することができる。これによると、仕切り戸を製造したのちも、反りのない状態を維持することができる。
【００１５】
また、本発明に係る仕切り戸の他の構成上の特徴は、芯材が、立桟と横桟からなる四角枠状の周囲骨の内側に格子枠状、板状または網目状のコア部を組み付けて形成されたものであることにある。
【００１６】
コア部としては、ハニカム状のペーパーハニカムコア、左右方向に延びる横組子と上下方向に延びる立組子とを格子状に組み付けて形成される格子枠状の組子コア、発泡スチロール、パーチクルボード等からなる板状のコア部等が使用される。また、強度や通気性等の点からは組子コアの使用が好ましく、この場合、横組子と立組子とを構成する材料としては、木や木質系の材料を用いることが好ましい。これによって、さらに良好な仕切り戸が得られる。また、この場合、周囲骨の左右の立桟が湾曲した部材を構成するが、両立桟間に中桟を設けてこれを湾曲した部材とすることもできる。この場合、周囲骨の左右の立桟を湾曲させてもよいし、中桟を湾曲させてもよい。また、中桟の数は１個でもよいし２個以上の複数個でもよい。
【００１７】
また、本発明に係る仕切り戸のさらに他の構成上の特徴は、仕切り戸が戸襖であり、シート体のうち、張り付け後に大きな収縮力が発生する一方のシート体が、防湿処理加工を施した板紙の表面に襖紙を張り付けて構成され、シート体のうちの他方のシート体が、防湿処理加工を施した板紙の表面にビニールクロスを張り付けて構成されていることにある。
【００１８】
従来の戸襖においては、ベニア等の合板を芯材の表裏に張り付けて、一方の合板の表面に襖紙を張り付け、他方の合板の表面にビニールクロスを張り付けることも行われているが、このような合板を用いた場合には、合板が含むアクが滲み出て襖紙にシミが発生することがある。また、合板は水分を吸収し易いため乾燥したときに収縮し、戸襖に反りが生じ易くなる。このため、防湿処理加工を施した板紙を介して襖紙やビニールクロスを芯材に張り付けることによって、襖紙やビニールクロスの伸縮を小さくすることができ、湾曲した部材の中央側部分の突出量を小さくすることもできる。この結果、戸襖の反り防止のための調節が容易になり、より平面度の高い戸襖を得ることができる。この場合の襖紙としては、鳥の子紙、新鳥の子紙、上新鳥の子紙、沙織襖紙等がある。
【００１９】
また、本発明に係る仕切り戸のさらに他の構成上の特徴は、洋室と和室との間に設置され、張り付け後に大きな収縮力が発生する一方のシート体が芯材における和室側の面に張り付けられ、他方のシート体が芯材における洋室側の面に張り付けられることにある。これによると、例えば、芯材における洋室側の面にビニールクロスを含むシート体を張り付け、芯材における和室側の面に襖紙を含むシート体を張り付けることにより、それぞれの部屋に応じた風合いを出すことができる。例えば、襖紙を鳥の子紙等で構成し、ビニールクロスを木目模様のプリントを施した化粧シートで構成する等である。
【００２０】
また、本発明に係る仕切り戸のさらに他の構成上の特徴は、シート体が芯材に張り付けられる前の湾曲した部材における長手方向の中央側部分の突出量が、湾曲した部材の立方向の長さの０．１０／１００〜１．２５／１００であることにある。
【００２１】
すなわち、湾曲した部材の高さを２ｍとしたときのその部材における中央側部分の突出量が２〜２５ｍｍ程度になることが好ましい。一般的に使用される襖紙やビニールクロス等の材料の中で収縮力が大きく異なる２種類のシート体を用いた場合に生じる反りは、通常芯材の部材に使用される木材を用いた場合、湾曲した部材の中央側部分の突出量を２５ｍｍ程度に設定しておけば組み立てた際に反りのない仕切り戸を得ることができる。
【００２２】
したがって、これ以上の突出量を設定しなければ反りのない仕切り戸を得ることができない材料を用いた部材は、使用する材料が芯材の部材の材料として相応しくないものである。例えば、広葉樹から切り出した木材は、芯材の部材の材料として適当でなく、芯材の部材に使用する材料としては、針葉樹から切り出した木材や平行合板等の積層材を用いることが好ましい。また、収縮力にさほど差のない２種類のシート体を用いた場合でも芯材には多少の反りは生じるため、所定の部材に湾曲部を形成しておくことが必要で、この場合の湾曲した部材の中央側部分の突出量は、仕切り戸の高さを２ｍとして、これに対して５ｍｍ程度に設定しておけば反りのない良好な仕切り戸を得ることができる。
【００２３】
また、本発明に係る湾曲部材の製造方法の構成上の特徴は、湾曲部材を製造するための湾曲部材の製造方法であって、厚みが、湾曲部材の厚みと略同一に設定された略四角形の板体の一辺を加工装置を用いて所定の湾曲状に形成する湾曲部形成工程と、湾曲部形成工程で形成された湾曲部をガイド部に沿わせた状態で相対的に移動させながら、ガイド部と所定間隔で設置された切断刃で板体を切断することにより、板体を一定の幅の湾曲した部材に順次形成していく湾曲部材形成工程とを備えたことにある。
【００２４】
このように、湾曲部材を取り出すための板体の一辺を湾曲部材に形成する湾曲の形状に切断し、その湾曲した切断面をガイド部に沿わせた状態で、相対的に移動させながら切断刃で切断することにより、簡単な操作で湾曲部材を取り出すことができる。この場合、最初の湾曲部材が取り出されたのちには、板体の一辺は最初の湾曲部と同形の湾曲した切断面になっているため、湾曲部材形成工程による操作を順次繰り返すことにより、複数個の湾曲部材が取り出される。この場合の切断装置としては、ＮＣ加工機等が使用でき、ガイド部と切断刃とを備えた装置としては、木工用のバンドソーや、丸鋸を備えた切断装置等が使用できる。また、切断の際には、切断刃に対して板体を移動させてもよいし、板体に対して切断刃を移動させてもよい。
【発明を実施するための最良の形態】
【００２５】
（第１実施形態）
以下、本発明の第１実施形態を図面を用いて説明する。図１および図２は同実施形態に係る仕切り戸としての戸襖１０を示している。この戸襖１０は、家屋における和室と洋室との間に設置されるもので、敷居の上をスライドさせることにより和室と洋室との間を開閉できるようになっている。この戸襖１０の外郭部は、左右両側で上下方向に延びる立縁１１ａ，１１ｂと上下両側で左右方向に延びる横縁１１ｃ，１１ｄとが四角枠状に形成された周囲縁１１で構成されている。
【００２６】
また、図１に示したように、戸襖１０の和室側に位置する面における周囲縁１１の内側部分には、表面に絵柄（図示せず）が施された鳥の子紙からなる襖紙１２が張り付けられ、その上下方向の略中央における左右方向の一方側（図１における左側）に、中央部が凹部に形成された丸形の引手１３が取り付けられている。図２は、戸襖１０の洋室側に位置する面を示しており、戸襖１０における周囲縁１１の内側部分には、表面に木目模様のプリント（図示せず）が施されたビニールクロスからなる化粧シート１４が張り付けられている。そして、戸襖１０の化粧シート１４における上下方向の略中央における左右方向の他方側（図２における右側）に、中央部が凹部に形成され上下方向に長くなった長円形の引手１５が取り付けられている。
【００２７】
戸襖１０の内部は、図３および図４に示したように構成されている。すなわち、周囲縁１１の内側には、左右両側で上下方向に延びる本発明の湾曲部材としての立桟１６ａ，１６ｂと上下両側で左右方向に延びる横桟１６ｃ，１６ｄとからなる四角枠状の周囲骨１６が形成されている。そして、戸襖１０の内部における立桟１６ａ，１６ｂの内面には、上下方向に一定間隔を保って、左右方向に延びる複数の横組子１７ａが掛け渡され、横桟１６ｃ，１６ｄの内面には、左右方向に一定間隔を保って、上下方向に延びる複数の立組子１７ｂが掛け渡されている。この立桟１６ａ，１６ｂ、横桟１６ｃ，１６ｄ、横組子１７ａおよび立組子１７ｂで芯材１８が構成されている。また、横組子１７ａと立組子１７ｂとで本発明に係るコア部が構成されている。
【００２８】
そして、立桟１６ａ，１６ｂと横桟１６ｃ，１６ｄで構成される周囲骨１６の四隅の角部内部側に、補強用の隅板１９ａがそれぞれ取り付けられている。また、芯材１８における引手１３，１５が取り付けられる部分には、四角板状の引手アンコ板１９ｂが取り付けられている。引手アンコ板１９ｂの両面には、それぞれ引手１３，１５の形状に対応する凹部が形成されており、引手１３，１５は、この引手アンコ板１９ｂの凹部に係合することによって戸襖１０に取り付けられている。
【００２９】
そして、芯材１８の表裏両面（和室側と洋室側とにそれぞれ位置する面）には、防湿処理加工が施された板紙２１ａ，２１ｂが張り付けられている。この板紙２１ａ，２１ｂは、超耐水紙の両側に、ポリエチレンシートやクラフト紙を貼合糊で貼ることによって積層した複数層で構成されており、水分を殆ど吸収しない特性を備えている。そして、板紙２１ａの表面に前述した襖紙１２が張り付けられ、板紙２１ｂの表面に化粧シート１４が張り付けられている。
【００３０】
さらに、その状態の芯材１８の外側面に周囲縁１１が取り付けられて戸襖１０が構成されている。なお、襖紙１２、化粧シート１４および板紙２１ａ，２１ｂで本発明に係るシート体が構成されており、襖紙１２の厚みは０．２〜０．３ｍｍ、化粧シートの厚みは０．４〜０．６ｍｍ、板紙２１ａ，２１ｂの厚みは、それぞれ１．５ｍｍに設定されている。
【００３１】
つぎに、以上のように構成された戸襖１０の製造方法について説明する。戸襖１０の製造は、まず、戸襖１０の各部分を構成する各種の材料を加工により予め設計された所定の形状に形成することから開始される。この場合、周囲縁１１、周囲骨１６、横組子１７ａ、立組子１７ｂ、隅板１９ａおよび引手アンコ板１９ｂに使用される材料としては、杉やひのき等の木材が使用され、これらを構成する材料をそれぞれ設計された寸法の形状に加工する。
【００３２】
この場合、立桟１６ａ，１６ｂは、図５に示したように予め湾曲した形状に形成する。例えば、立桟１６ａ，１６ｂの高さａを２０００ｍｍとした場合、反りｂの長さ（立桟１６ａ，１６ｂの中央部が図５の左右方向に突出した長さ）を１０ｍｍ程度に設定する。なお、図５は、湾曲状態を分かり易くするために、反りｂを実際よりも大きく表している。また、この立桟１６ａ，１６ｂの形成は、まず、図６に示した大きな四角形の木板２２（切断により複数個の立桟１６ａ，１６ｂが形成できる大きさ）の一辺２２ａを湾曲状に切断することにより行う。この木板２２としては平行合板を用いることが好ましい。
【００３３】
この切断は、例えば、ＣＮＣルータ（図示せず）を用いて切断することができ、木板２２の一辺２２ａを図６に示した二点鎖線ｃに沿って切断することにより、図７に示した湾曲部２３ａを形成する。ＣＮＣルータは、木板２２を固定した状態で前後方向、左右方向に移動可能になった台部と、台部の上方に設置された切断刃とを備えており、台部を所定の方向に移動させながら切断刃で木板２２の一辺２２ａを切断することにより、湾曲部２３ａを形成することができる。
【００３４】
つぎに、湾曲部２３ａが形成された木板２２を、湾曲部２３ａから一定間隔を保った状態で切断することにより立桟１６ａ（，１６ｂ）を形成する。この切断は、例えば、図８に示したバンドソー２４を用いて、木板２２を図７に示した二点鎖線ｄに反って切断することにより行える。バンドソー２４の下部側部分は、基台２５と、基台２５の上面に形成された台部２５ａとで構成されている。そして、基台２５の上面の一端側に柱部２６が設けられ、この柱部２６の上端部に台部２５ａと間隔を保って対向した状態でヘッド部２７が設けられている。
【００３５】
また、台部２５ａの上面には、図８の左右方向に位置調節が可能な四角棒状のガイド部２８が設けられ、台部２５ａにおける基台２５およびヘッド部２７の他端側に対応する部分には、台部２５ａに設けられた挿通孔を貫通するステライト刃２９が設けられている。このステライト刃２９は、基台２５、柱部２６、ヘッド部２７の内部を通って、台部２５ａとヘッド部２７との間で露出しており、駆動部（図示せず）の作動によってループ状に回転駆動する。したがって、ステライト刃２９を回転駆動させ、湾曲部２３ａをガイド部２８に沿わせながら木板２２をステライト刃２９側に移動させることにより、木板２２が切断されて立桟１６ａ（，１６ｂ）が形成される。
【００３６】
この場合、ガイド部２８とステライト刃２９との間隔は、立桟１６ａ（，１６ｂ）の設定幅、例えば３６ｍｍよりもステライト刃２９の厚み分長くしておく。また、木板２２を切断する際、木板２２の湾曲部２３ａが、必ずガイド部２８におけるステライト刃２９に最も近い部分に接触するようにする。これによって、形成された立桟１６ａ（，１６ｂ）の幅を一定にすることができる。これを繰り返すことにより、複数個の立桟１６ａ（，１６ｂ）が形成される。
【００３７】
そして、立桟１６ａ，１６ｂが形成されると、横桟１６ｃ，１６ｄ、横組子１７ａおよび立組子１７ｂも設定長さに切断し、周囲骨１６を構成する立桟１６ａ，１６ｂと横桟１６ｃ，１６ｄに、横組子１７ａおよび立組子１７ｂを順次組み付けることにより芯材１８を形成する。そして、芯材１８の所定部分に、それぞれ隅板１９ａと引手アンコ板１９ｂとを取り付ける。この際、立桟１６ａ，１６ｂは反りの方向が同じ方向を向くように配置する。また、この組付けの際、必要に応じて、接着剤やねじ等の固着具も用いる。
【００３８】
ついで、芯材１８における立桟１６ａ，１６ｂの湾曲が突出した和室側の面に板紙２１ａを張り付け、芯材１８における立桟１６ａ，１６ｂの湾曲が凹部側になった洋室側の面に板紙２１ｂを張り付ける。つぎに、板紙２１ａの表面に襖紙１２を張り付け、板紙２１ｂの表面に化粧シート１４を張り付ける。この芯材１８への板紙２１ａ，２１ｂ、襖紙１２および化粧シート１４の張り付けは糊等の接着剤を用いて行われる。そして、板紙２１ａ，２１ｂ、襖紙１２および化粧シート１４が張り付けられた芯材１８の外側面に、立縁１１ａ，１１ｂと横縁１１ｃ，１１ｄとで構成される周囲縁１１を取り付ける。この取り付けは、ねじ等を用いて行われる。
【００３９】
そして、襖紙１２における引手アンコ板１９ｂに対応する部分に引手１３を取り付け、化粧シート１４における引手アンコ板１９ｂに対応する部分に引手１５を取り付ける。この引手１３，１５は軽合金、木、プラスチック等の材料の中から適宜選択した材料で構成されており、表面中央が凹部で裏面中央が突部になるように形成され、中央部の外周縁部にフランジ状の鍔部が形成されている。また、引手アンコ板１９ｂの両面の中央には、前述したように、引手１３，１５の中央部を押し込めるための凹部が形成されている。
【００４０】
このため、引手１３，１５の中央側部分をそれぞれ引手アンコ板１９ｂの対応する凹部に押し込むことにより、引手１３は襖紙１２と板紙２１ａを突き破って引手アンコ板１９ｂ内に固定され、引手１５は化粧シート１４と板紙２１ｂを突き破って引手アンコ板１９ｂ内に固定される。このとき、引手１３の鍔部は、襖紙１２の表面に位置し、引手１５の鍔部は化粧シート１４の表面に位置する。
【００４１】
また、襖紙１２の収縮力が化粧シート１４の収縮力よりも大きいため、襖紙１２、化粧シート１４および板紙２１ａ，２１ｂの張り付けに使用した接着剤が乾燥する際に、芯材１８の立桟１６ａ，１６ｂにおける突出した面が襖紙１２によって収縮する方向に引っ張られる。これによって、湾曲した立桟１６ａ，１６ｂは真直ぐな状態になるように矯正され、戸襖１０全体が、図１および図２に示したような平面状になる。この状態は、芯材１８から板紙２１ａ，２１ｂ等が剥離されない間は維持される。
【００４２】
このように、本実施形態に係る戸襖１０では、芯材１８における和室側に位置する面に収縮力の大きな襖紙１２を張り付け、洋室側に位置する面に収縮力の小さな化粧シート１４を張り付けている。そして、芯材１８の立桟１６ａ，１６ｂにおける襖紙１２が張り付けられる側の面が突出するように立桟１６ａ，１６ｂを湾曲させて形成している。したがって、戸襖１０が組み付けられたときには、襖紙１２の収縮によって立桟１６ａ，１６ｂの湾曲した部分が矯正されて反りのない状態になる。このため、例えば、和室と洋室を仕切る壁の和室側面に沿ってスライドするように戸襖１０を配置した場合に、戸襖１０が壁に接触することがなくなり、スムーズな開閉が可能になる。
【００４３】
また、本実施形態に係る戸襖１０では、襖紙１２および化粧シート１４が、防湿処理加工を施した板紙２１ａ，２１ｂを介して芯材１８に張り付けられている。このため、襖紙１２や化粧シート１４の伸縮が小さくなり、立桟１６ａ，１６ｂに形成する湾曲の曲率を小さくすることができる。この結果、戸襖１０の反り防止のために立桟１６ａ，１６ｂに形成する湾曲の調節幅が小さくなって湾曲の形成が容易になり、より平面度の高い戸襖１０を得ることができる。
【００４４】
さらに、戸襖１０の和室側の面に鳥の子紙からなる襖紙１２を配置し、洋室側の面に木目模様がプリントされたビニールクロスからなる化粧シート１４を配置しているため、それぞれの部屋に応じた風合いを出すことができる。また、立桟１６ａ，１６ｂの形成が、ＣＮＣルータを用いて木板２２の一辺２２ａを湾曲状に切断し、その湾曲した切断面をバンドソー２４を用いて切断することにより行われるため、簡単な操作で寸法精度の高い立桟１６ａ，１６ｂを効率よく取り出すことができる。
【００４５】
（第２実施形態）
また、図９および図１０は、本発明の第２実施形態に係る仕切り戸としての戸襖３０を裏面側から見た状態を示している。この戸襖３０は、和室と押入れとの間に設置され、押入れを開閉するためのもので左右対称に形成された２枚１組（一方の戸襖３０しか図示せず）で使用される。この戸襖３０の裏面（押入れ側）における周囲縁３１の内側部分には、表面（外側の面）に絵柄が施された耐水高圧紙からなる裏面紙３４が張り付けられている。この裏面紙３４の表面には、一般に、雲花紙に施されている絵柄（図示せず）が印刷により設けられている。
【００４６】
そして、芯材３８の表面側（和室側）には、耐水高圧紙からなる下張り紙が張り付けられており、下張り紙の外側の面には、前述した襖紙１２と同質の襖紙が張り付けられている。この戸襖３０を表面側から見た状態は、図１および図３と同様に現れるため図示は省略している。また、引手（図示せず）は、戸襖３０の表面側にだけ設けられて裏面には設けられていない。
【００４７】
また、この戸襖３０に使用される芯材３８の立桟３６ａ，３６ｂは、芯材３８に、裏面紙３４、下張り紙および襖紙を張り付ける前には、表面側が突出した湾曲形状になるように形成されているが、芯材３８に、裏面紙３４等を張り付けて、接着剤が乾燥したのちには、襖紙等の収縮によって引っ張られて真っ直ぐな状態になる。このため、戸襖３０も、組み立てられた状態では反りのない平面状になる。なお、この場合の組付け前の立桟３６ａ，３６ｂの反り（立桟３６ａ，３６ｂの中央部が前後方向に突出した長さ）は、立桟３６ａ，３６ｂの高さが略２０００ｍｍであるのに対し、１２ｍｍ程度に設定されている。
【００４８】
この戸襖３０におけるそれ以外の部分の構成については、前述した戸襖１０と同一である。したがって、同一部分に同一符号を記して説明は省略する。また、この実施形態に係る戸襖３０では、裏面側には、耐水高圧紙からなる裏面紙３４だけが張り付けられているのに対し、表面側には、耐水高圧紙からなる下張り紙と襖紙とが張り付けられている。このため、裏面側に比べて表面側の収縮が大きくなるが、その分、立桟３６ａ，３６ｂが湾曲を大きくして形成されているため、戸襖３０は、戸襖１０と同等の平面度を備えた戸襖に形成される。また、この戸襖３０では、芯材３８に張り付ける紙の数が少ないため、張り付け作業が容易になるとともに、低コスト化が図れる。本実施形態に係る戸襖３０のそれ以外の作用効果については、前述した第１実施形態に係る戸襖１０と同様である。
【００４９】
（第３実施形態）
図１１は、本発明の第３実施形態に係る仕切り戸としての戸襖が備える芯材４８を示している。この芯材４８は、左右両側で上下方向に延びる立桟４６ａ，４６ｂと上下両側で左右方向に延びる横桟４６ｃ，４６ｄとからなる四角枠状の周囲骨４６と、２個の立中桟４７ａ，４７ｂと、２個の横中桟４７ｃ，４７ｄとを備えている。立中桟４７ａ，４７ｂは、それぞれ横桟４６ｃ，４６ｄの内側面における対向する部分に掛け渡されて上下に延びており、立中桟４７ａは、立桟４６ａ側に立桟４６ａと間隔を保って配置され、立中桟４７ｂは立桟４６ｂ側に立桟４６ｂと間隔を保って配置されている。
【００５０】
また、横中桟４７ｃ，４７ｄは、立桟４６ａ，４６ｂの内側面における対向する部分に掛け渡され、上下方向に一定間隔を保って配置されている。この場合、立桟４６ａ，４６ｂと立中桟４７ａ，４７ｂとで縦部材が構成され、横桟４６ｃ，４６ｄと横中桟４７ｃ，４７ｄとで横部材が構成されている。この立桟４６ａ等からなる縦部材のうち立中桟４７ａ，４７ｂは上下方向における中央部が表面側に突出するように湾曲した状態に形成されている。また、立桟４６ａと立中桟４７ａとの間における横中桟４７ｄの上部側部分および立桟４６ｂと立中桟４７ｂとの間における横中桟４７ｄの上部側部分に、それぞれ引手アンコ板４９ａ，４９ｂが設けられている。
【００５１】
そして、立桟４６ａ等からなる各縦部材と横桟４６ｃ等からなる各横部材との各間にそれぞれペーパーハニカムからなるコア部４１が設けられている。この芯材４８を備えた戸襖のそれ以外の部分の構成は、前述した第１実施形態に係る戸襖１０と同一である。このように構成したため、湾曲させる縦部材を周囲骨４６の立桟４６ａ，４６ｂ以外のもので構成することができ、設計に自由度を持たせることができる。この芯材４８を備えた戸襖のそれ以外の作用効果については前述した戸襖１０と同様である。
【００５２】
（第４実施形態）
図１２は、本発明の第４実施形態に係る仕切り戸としてのドア５０を示している。このドア５０は、洋室と和室との間に設けられ、一方の側縁部を中心として回転することにより、開閉するもので、図１２は、洋室側の面を示している。また、和室側の面は、図１と略同様に構成されているため図示は省略する。このドア５０は、四角枠状の額部５６の内部に化粧板５１を取り付け、額部５６における和室側の面に薄板からなるボード（図示せず）を張り付けて芯材を構成している。
【００５３】
そして、ボードの表面に襖紙が張り付けられているとともに、その周縁部に木口テープが貼り付けられている。この木口テープは、樹脂材料の表面に黒色のテープを貼り付けて構成されている。そして、額部５６の縦枠部５６ａ，５６ｂのうちの一方の縦枠部５６ｂにドア５０を開閉する際に手で持つための取っ手５５が設けられている。また、ドア５０の和室側の面における取っ手５５に対応する部分にも取っ手が設けられている。
【００５４】
このドア５０では、額部５６の縦枠部５６ａ，５６ｂが、上下方向における中央側部分が和室側に向って突出するように形成されており、ボードの表面に襖紙を張り付けたのちに襖紙の収縮力によって縦枠部５６ａ，５６ｂの湾曲が矯正されてドア５０全体に反りが無くなるように構成されている。このように、この実施形態によると、洋室側が化粧板５１で構成され和室側が襖紙で構成されていてもドア５０を反りのない良好な状態に形成することができる。また、このドア５０によると、反りがないため、ドア５０とドア５０を支持する部分との間に干渉が生じることがなくドア５０の開閉がスムーズに行える。このドア５０それ以外の作用効果については前述した戸襖１０等と同様である。
【００５５】
また、本発明に係る仕切り戸は、前述した各実施形態に限定するものでなく、適宜変更して実施することができる。例えば、前述した各実施形態では、和室側の表面に位置する襖紙１２等を鳥の子紙としたが、この襖紙１２等としては、鳥の子紙の他、新鳥の子紙、上新鳥の子紙、沙織襖紙、ビニールクロス、樹脂系シート、その他の種類の紙等を用いてもよい。
【００５６】
また、第１実施形態では、戸襖１０における洋室側の表面に位置する化粧シート１４をビニールクロスとしたが、この化粧シート１４としては、ビニールクロスの他、布系シート、樹脂系シート、紙系シート、プリント化粧板（強化紙、含浸紙、塩ビシート、オレフィンシート）、突板化粧板、樹脂化粧板、表面に化粧シートをラミネートした表面仕上げ材からなる合板や紙等を用いることができる。
【００５７】
さらに、板紙２１ａ，２１ｂに代えて、合板、ＭＤＦ（木屑を固めて板状にしたもの）や樹脂材料からなる薄板を用いることができる。また、コア部についても、横組子１７ａと立組子１７ｂとからなる組子やペーパーハニカムからなるコア部４１に代えて、発泡スチロールからなるコア部、パーチクルボードからなるコア部、木片を組み付けて構成されるコア部、木以外の材料を用いた桟からなるコア部等を用いることができる。また、仕切り戸を構成する他の部分の構造や材質等についても適宜変更することができ、その変更に応じて、立桟等の縦部材に予め設けておく反りを設定する。これによって、どのような材料を用いても平面度の高い仕切り戸を得ることができる。
【００５８】
さらに、前述した各実施形態では、戸襖１０，３０の周囲に周囲縁１１，３１を設けているが、この周囲縁１１，３１は省略することができる。この場合、戸襖１０，３０の和室側面の縁部には、例えば、ドア５０の和室側面のようにテープ状の黒色のシールを貼り付ける。そして、戸襖１０等の左右両側の端面には、例えば、木目模様が印刷された木口テープを貼り付ける等の処理を施す。この木口テープとしては、ＡＢＳ樹脂の表面に印刷を施したものや、ＡＢＳ樹脂の表面にシートを貼り付けたもの等を使用することができる。
【００５９】
また、前述した第１実施形態では、板紙２１ａと襖紙１２および紙２１ｂと化粧シート１４の張り付けを糊等の接着剤を用いて行っているが、これに代えて、板紙２１ａと襖紙１２および紙２１ｂと化粧シート１４を予めラミネート等によって接合したものを用いることもできる。さらに、襖紙１２や化粧シート１４を、合板やＭＤＦ等に予め接合したものを用いることもできる。
【００６０】
また、木板２２から立桟１６ａ等を切り出す際に使用する装置も前述した装置に限らず、木板２２の一辺２２ａ側から順次湾曲状に切断することにより、立桟１６ａ等を切り出すことのできる装置であればどのような装置でも使用することができる。また、前述した実施形態では、バンドソー２４が備えるガイド部２８を四角棒状としているが、これを湾曲部２３ａに対応する湾曲した棒状に形成することもできる。これによると、立桟１６ａ，１６ｂ，３６ａ，３６ｂの成形作業が容易になるとともに、寸法精度を高めることができる。
【００６１】
また、前述した、第３実施形態では、２個の立中桟４７ａ，４７ｂを設けているが、この立中桟は、芯材の中央部に１個だけ設けてもよいし所定間隔を保って３個以上設けてもよい。さらに、前述した各実施形態では、仕切り戸を洋室と和室との間や和室と押入れとの間に設けるものとしているが、本発明に係る仕切り戸は、これに限定するものでなく、クローゼット、物入れ等の戸としても利用できるものである。
【００６２】
また、前述した各実施形態では、芯材の表裏に乾燥時等に発生する収縮力の異なるシート体を張り付けているが、本発明に係る仕切り戸では、芯材の表裏に同じシート体を張り付けたものも含む。この場合、仕切り戸の両側の空間部の温度や湿度の差に応じて、湾曲部材の向きを変更して仕切り戸を設置する。また、この発明にかかる仕切り戸のそれ以外の部分の構成についても本発明の技術的範囲内で適宜変更して実施することが可能である。
【図面の簡単な説明】
【００６３】
【図１】本発明の第１実施形態に係る戸襖の和室側面を示す正面図である。
【図２】図１に示した戸襖の洋室側面を示す背面図である。
【図３】図１に示した戸襖の内部構造を示す一部切り欠き正面図である。
【図４】図２に示した戸襖の内部構造を示す一部切り欠き背面図である。
【図５】立桟の反り状態を示す側面図である。
【図６】板を示す正面図である。
【図７】板の一辺に湾曲部を形成した状態を示す正面図である。
【図８】バンドソーを示す斜視図である。
【図９】本発明の第２実施形態に係る戸襖の裏面を示す背面図である。
【図１０】図９に示した戸襖の内部構造を示す一部切り欠き背面図である。
【図１１】本発明の第３実施形態に係る戸襖が備える芯材を示す正面図である。
【図１２】本発明の第４実施形態に係るドアを示す正面図である。
【符号の説明】
【００６４】
１０，３０…戸襖、１２…襖紙、１４…化粧シート、１６，４６…周囲骨、１６ａ，１６ｂ，３６ａ，３６ｂ，４６ａ，４６ｂ…立桟、１６ｃ，１６ｄ，４６ｃ，４６ｄ…横桟、１７ａ…横組子、１７ｂ…立組子、１８，３８，４８…芯材、２１ａ，２１ｂ…板紙、２２…木板、２２ａ…一辺、２３ａ…湾曲部、２４…バンドソー、２８…ガイド部、２９…ステライト刃、３４…裏面紙、４１…コア部、４７ａ，４７ｂ…立中桟、４７ｃ，４７ｄ…横中桟、５０…ドア、５１…化粧板、５６…額部、５６ａ，５６ｂ…縦枠部。
【図１】
2006132289.tif 000003
【図２】
2006132289.tif 000004
【図３】
2006132289.tif 000005
【図４】
2006132289.tif 000006
【図５】
2006132289.tif 000007
【図６】
2006132289.tif 000008
【図７】
2006132289.tif 000009
【図８】
2006132289.tif 000010
【図９】
2006132289.tif 000011
【図１０】
2006132289.tif 000012
【図１１】
2006132289.tif 000013
【図１２】
2006132289.tif 000014